(57)【特許請求の範囲】
【請求項１】
ゴルフクラブヘッドであって、
打球面を有するフェース部と、
前記フェース部における前記打球面の裏側に位置して前記フェース部と接続されているバック面とを備え、
前記バック面は、互いに間隔をあけて配置された一方の平坦面および他方の平坦面と、前記一方の平坦面と前記他方の平坦面との間に挟まれた、トゥ側端部からヒール側端部まで延伸する鏡面加工がなされた凹曲面とを含み、
前記ゴルフクラブヘッドを任意のトゥヒール方向、およびトップソール方向に切断して得られる切断面上で前記凹曲面が示す線形状が、いずれも同一でも相似でもない、ゴルフクラブヘッド。
【請求項２】
前記凹曲面では、ヒール側からトゥ側に向けて、前記フェース部との距離としての厚みが厚くなっている、請求項１に記載のゴルフクラブヘッド。
【請求項３】
前記ゴルフクラブヘッドを任意のトップソール方向に切断して得られる切断面上で前記凹曲面が示す曲線の、所定の間隔で複数の測定位置にて測定された曲率の平均がいずれも異なっている、請求項１または２に記載のゴルフクラブヘッド。
【請求項４】
請求項１〜３のいずれか１項に記載のゴルフクラブヘッドを備える、ゴルフクラブ。
【発明の詳細な説明】
【技術分野】
【０００１】
本発明はゴルフクラブヘッドおよびゴルフクラブに関し、特に鏡面を有するゴルフクラブヘッドおよびゴルフクラブに関するものである。
【背景技術】
【０００２】
ゴルフクラブヘッドは、打球面を有するフェース部と、フェース部に対向するバック面とを有している。このうちバック面の一部には凹部が形成されている。
【０００３】
バック面をより美しく見せる観点から、バック面の凹部などには鏡面処理を施すことがある。そこで、たとえば特開２０１２−１７０５１３号公報（特許文献１）においては、バック面の凹部の一部に鏡面処理がなされたゴルフクラブヘッドが開示されている。
【先行技術文献】
【特許文献】
【０００４】
【特許文献１】特開２０１２−１７０５１３号公報
【発明の概要】
【発明が解決しようとする課題】
【０００５】
特開２０１２−１７０５１３号公報のゴルフクラブヘッドは、バック面の凹部の一部が鏡面処理されているが、形成される鏡面が平面形状となっている。このため当該鏡面に複雑な光の映り込みを実現することができず、当該鏡面の外観上の美しさが十分ではない可能性がある。
【０００６】
本発明は、以上の問題に鑑みなされたものであり、その目的は、より多くの光を取り込むことができ、より美しく見える鏡面を有するゴルフクラブヘッドおよびゴルフクラブを提供することである。
【課題を解決するための手段】
【０００７】
一の本実施の形態のゴルフクラブヘッドは、打球面を有するフェース部と、フェース部における打球面の裏側に位置してフェース部と接続されているバック面とを備える。バック面は、互いに間隔をあけて配置された一方の平坦面および他方の平坦面と、一方の平坦面と他方の平坦面との間に挟まれた、トゥ側端部からヒール側端部まで延伸する鏡面加工がなされた凹曲面とを含む。凹曲面は、ゴルフクラブヘッドを切断して得られる切断面上で凹曲面が示す線形状の曲率が異なっている曲面である。
【０００８】
他の本実施の形態のゴルフクラブヘッドは、打球面を有するフェース部と、フェース部における打球面の裏側に位置してフェース部と接続されているバック面とを備える。バック面は、互いに間隔をあけて配置された一方の平坦面および他方の平坦面と、一方の平坦面と他方の平坦面との間に挟まれた、トゥ側端部からヒール側端部まで延伸する鏡面加工がなされた凹曲面とを含む。ゴルフクラブヘッドを任意のトゥヒール方向、およびトップソール方向に切断して得られる切断面上で凹曲面が示す線形状が、いずれも同一でも相似でもない。
【発明の効果】
【０００９】
本発明によれば、鏡面加工された凹曲面において、同じ曲率の部分が複数存在しないことから、当該凹曲面に入射する光の乱反射により、いっそう多くの光を取り込むことができるとともに凹曲面において写りこむ模様を複雑なものとすることができる。このため、当該凹曲面をより美しく見せることができる。
【図面の簡単な説明】
【００１０】
【図１】本実施の形態のゴルフクラブを、特にゴルフクラブヘッドに備えられるプレート部材に焦点をあてて示す概略図である。
【図２】図１のゴルフクラブヘッドの凹曲面の概略図である。
【図３】図２のＩＩＩ−ＩＩＩ線に沿う曲線の部分の概略断面図である。
【図４】凹曲面の表面上をトゥヒール方向に延びる曲線上の各点を通る仮想の円の中心を示す概略斜視図である。
【図５】凹曲面上をトップソール方向に延びる曲線上の各点を通る仮想の円の中心を示す概略斜視図である。
【図６】凹曲面上をトップソール方向に延びる曲線上の各点を通る仮想の円の中心を図５とは異なる方向から見た態様を示す概略斜視図である。
【図７】凹曲面上をトップソール方向に延びる曲線をフェース部側から見た態様を示す概略図（Ａ）と、凹曲面上をトップソール方向に延びる曲線をバック面側から見た態様を示す概略図（Ｂ）とである。
【図８】凹曲面上をトップソール方向に延びる曲線上におけるトップソール方向に関する曲率を測定した値を示すグラフである。
【図９】凹曲面上をトップソール方向に延びる曲線上におけるトップソール方向に関する曲率の差を測定した値を示すグラフである。
【図１０】凹曲面上をトゥヒール方向に延びる曲線をフェース部側から見た態様を示す概略図である。
【図１１】凹曲面上をトゥヒール方向に延びる曲線上におけるトゥヒール方向に関する曲率を測定した値を示すグラフである。
【図１２】凹曲面上をトゥヒール方向に延びる曲線上におけるトゥヒール方向に関する曲率の差を測定した値を示すグラフである。
【発明を実施するための形態】
【００１１】
以下、本発明の実施の形態について図に基づいて説明する。
図１を参照して、本実施の形態に係るゴルフクラブヘッド１は、シャフト２０の先端に固定されてゴルフクラブを構成する。ゴルフクラブヘッド１は、フェース部２と、フェース部２の裏側に位置してフェース部２と接続されているバック面３とを備える。
【００１２】
フェース部２は、打球面を有する。バック面３は、フェース部２における特に打球面の裏側に位置しており、トップ、サイド、およびソールを介してフェース部２と接続されている。バック面３は、ヒール部１ｈからトゥ部１ｔまで設けられている。
【００１３】
バック面３には、平坦面としてのバックフラット４が形成されている。バックフラット４は、互いに間隔をあけて１対配置されており、具体的には一方の平坦面としての一方のバックフラット４ａと、他方の平坦面としての他方のバックフラット４ｂとを含む。ここでは一方のバックフラット４ａは当該ゴルフクラブの使用時（構えたとき）における上側に配置されている。また他方のバックフラット４ｂは当該ゴルフクラブの使用時における地面と接する側の端部に位置するソール部５側（つまり下側）に配置されている。なお凹曲面６は、一方のバックフラット４ａと他方のバックフラット４ｂとから直接延伸するように形成されるのではなく、傾斜面や他のフラット面を介して形成されてもよい。
【００１４】
図１のようにバック面３側からソール部５を下側に見たときに、バック面３における一方のバックフラット４ａと他方のバックフラット４ｂとの間に挟まれるように、凹曲面６が形成されている。つまり凹曲面６は、当該ゴルフクラブの使用時における上下方向に関するほぼ中央部に形成されている。言い変えれば、他方のバックフラット４ｂは、凹曲面６に対して、一方の平坦面であるバックフラット４ａと反対側に形成された他方の平坦面である。
【００１５】
一方のバックフラット４ａ、他方のバックフラット４ｂおよび凹曲面６は、いずれもトゥ部１ｔ（トゥ側端部）からヒール部１ｈ（ヒール側端部）まで延びている。言い換えればゴルフクラブヘッド１をトゥ側およびヒール側から視認した場合に、凹曲面６の底面により構成される曲線上のエッジが確認できる。
【００１６】
図２および図３を参照して、凹曲面６はバック面３において、一方のバックフラット４ａおよび他方のバックフラット４ｂに対してフェース部２側に凹んだ形状を有している。つまり凹曲面６の表面は、フェース部２側（打球面側）に向けて凹む曲面ＣＶＸとなっている。なお凹曲面６の表面は、トゥ部１ｔからヒール部１ｈまで延伸する鏡面加工がなされている。以上のように、バックフラット４が平坦面であるのに対し、凹曲面６の表面は曲面状となっている。
【００１７】
なおここで、本実施の形態において曲面とは、表面上のある点（測定位置）において求めた任意の少なくとも一の方向に関する曲率（の最大値）が０．０１以上（より好ましくは０．０１７以上）となる面をいうものとする。また上記の要領で曲率を測定した際に、少なくともいずれかの方向において、所定の間隔（たとえば１ｍｍ間隔）で複数の測定位置にて測定された曲率の平均値が０．０１以上となる面を曲面ということとする。つまり表面上のある方向に関する曲率の平均値がたとえ０．０１に比べて非常に小さくても、他のある方向に関する曲率の平均値が０．０１以上であれば、その表面は曲面である。
【００１８】
逆にここで平坦面とは、上記の曲面の条件を満たさない面、すなわち測定位置からいずれの方向に関する曲率（の最大値）も０．０１未満となる面をいうものとする。ただし特にここでは平坦面とは、たとえばある点から任意の一方向に延びる曲線上にて曲率を測定した際に、いずれの方向においてもその曲率（の最大値）が概ね０．００３以下（特に０．００１以下）となる面をいうものとする。
【００１９】
また特に図３を参照して、凹曲面６では、その表面とフェース部２（たとえば打球面）との距離としての厚みが、ヒール部１ｈ側からトゥ部１ｔ側に向けて漸次厚くなっている。すなわち図３における上下方向はバック面３からこれに対向するフェース部２に向かう方向であるが、この方向に関するトゥ部１ｔ側の上記厚みｔ１はヒール部１ｈ側の上記厚みｔ２よりも厚くなっている。たとえば厚みｔ１と厚みｔ２との厚みの差は０．５ｍｍ以上１．５ｍｍ以下となっている。
【００２０】
図４を参照して、凹曲面６と一方のバックフラット４ａとの境界には一方の凹曲面境界線６ａが、凹曲面６と他方のバックフラット４ｂとの境界には他方の凹曲面境界線６ｂが、それぞれ形成されている。一方の凹曲面境界線６ａおよび他方の凹曲面境界線６ｂは、やや湾曲しているが、基本的にトゥヒール方向に沿うように延びている。つまり凹曲面６は、一方の凹曲面境界線６ａおよび他方の凹曲面境界線６ｂを縁部として、これらに沿うようにトゥヒール方向に延びる曲面である。
【００２１】
図２および図４を参照して、たとえば凹曲面６の表面上のうちトップソール方向に関する中央部においてトゥヒール方向に延びる曲線ＴＨ１を考える。このとき、曲線ＴＨ１上の所定の間隔で隣り合う各点ごとに曲率半径を求め、それぞれの曲率半径を半径とする仮想の円を定義し、各仮想の円の中心を結んでできる中心線Ｐ０を求める。このとき中心線Ｐ０は、曲線ＴＨ１の延びる方向に対して規則性なくまったく無秩序に延びている。すなわち曲線ＴＨ１上の各点を通る仮想の円の半径の値および接線の方向は、各点ごとにまったく異なっている。
【００２２】
図５および図６を参照して、次に凹曲面６の表面上を一方の凹曲面境界線６ａから他方の凹曲面境界線６ｂまで延びる曲線Ｃ１，Ｃ３，Ｃ５を考える。曲線Ｃ１，Ｃ３，Ｃ５のそれぞれは、トゥヒール方向に関して互いに間隔をあけて配置されている。このとき、曲線Ｃ１，Ｃ３，Ｃ５のそれぞれについて、所定の間隔で隣り合う各点ごとに曲率半径を求め、それぞれの曲率半径を半径とする仮想の円を定義し、各仮想の円の中心を結んでできる中心線Ｐ１，Ｐ３，Ｐ５を求める。中心線Ｐ１，Ｐ３，Ｐ５のそれぞれは、上記の中心線Ｐ０と同様に、曲線Ｃ１，Ｃ３，Ｃ５のそれぞれの延びる方向に対してまったく無秩序に延びている。すなわち曲線Ｃ１，Ｃ３，Ｃ５上の各点を通る仮想の円の半径の値および接線の方向も、各点ごとにまったく異なっている。また中心線Ｐ１と中心線Ｐ３と中心線Ｐ５との形状を比較しても、それらの間に何ら規則性もなく、それぞれまったく異なった形状を有している。
【００２３】
以上の図４〜図６より、本実施の形態における凹曲面６は、ゴルフクラブヘッド１を切断して得られる切断面上で凹曲面６が示す線形状（以下、「切断面曲線」という）が、任意のトゥヒール方向およびトップソール方向のいずれの方向に切断したとしても同一曲線にならず、かつ相似の曲線にもならない不均一な曲面として構成されている。言い換えると、凹曲面６は、いずれの切断面曲線も曲率が異なっている曲面となっている。
【００２４】
ここで本実施の形態において、切断面曲線上の曲率が異なっているとは、トップソール方向においては、切断面曲線上において一定（すなわち同一の）曲率部分がまったく存在せず、トゥヒール方向においては、切断面曲線上において一定曲率部分がほぼ存在しないことをいう。具体的には、トップソール方向においては、任意の切断面曲線上において所定間隔（たとえば１ｍｍ間隔）で求めた、当該凹曲面６の表面の曲率の標準偏差が０．０１８以上（より好ましくは０．０２２以上）となっている状態をいうものとする。またトゥヒール方向においては、少なくともスコアラインセンター領域を含む一部の切断面曲線上において所定間隔（たとえば１ｍｍ間隔）で求めた当該凹曲面６の表面の曲率が、少なくとも隣り合う部位では一定ではない状態をいうものとする。
【００２５】
本実施の形態では、このようなトゥヒール方向、およびトップソール方向の曲率状態を有する曲面を、切断面曲線上の曲率が異なっている曲面という。なお、トゥヒール方向はスコアラインに平行な方向として定義され、トップソール方向はスコアラインに垂直な方向として定義される。
【００２６】
次に図７〜図１２を用いて、上記の凹曲面６が曲面であり、凹曲面６の切断面曲線上にて曲率が異なっていることについて説明する。
【００２７】
図７（Ａ），（Ｂ）を参照して、まず凹曲面６の表面上をトップソール方向に延びる各曲線について考える。上記の図５および図６と同様に、凹曲面６の表面を一方のバックフラット４ａから他方のバックフラット４ｂに延びる、トゥヒール方向に関して互いに間隔をあけて配列された曲線Ｃ１，Ｃ２，Ｃ３，Ｃ４，Ｃ５を定義する。曲線Ｃ１は最もトゥ部１ｔ側に、曲線Ｃ５は最もヒール部１ｈ側に定義されている。図７（Ａ）における曲線Ｃ１〜Ｃ５は、たとえば図７（Ｂ）のようにバック面３側からソール部５を上側に見たときに、図７（Ｂ）の曲線Ｃ１〜Ｃ５と重なる位置に示されている。すなわち図７（Ａ）の各曲線Ｃ１〜Ｃ５と図７（Ｂ）の各曲線Ｃ１〜Ｃ５とは互いに同一である。各曲線Ｃ１〜Ｃ５は、図７（Ａ）に示すフェース部２に施された複数のスコアラインＳＬのそれぞれにほぼ直交している。
【００２８】
図７（Ａ）に示すように、フェース部２側から見たときの最もトゥ部１ｔ側の曲線Ｃ１と最もヒール部１ｈ側の曲線Ｃ５とのトゥヒール方向に沿う距離は５３ｍｍである。この５３ｍｍの領域を４等分することにより、等間隔すなわち隣り合う曲線同士の距離が１３．２５ｍｍとなるように曲線Ｃ１〜Ｃ５が定義される。
【００２９】
なお比較用として、平坦面であるバックフラット４ａの表面上に、曲線Ｃ１とほぼ同じ長さを有する直線Ｃ６が定義される。
【００３０】
各曲線Ｃ１〜Ｃ５、および直線Ｃ６の長さが測定され、それぞれの曲線上において各曲線Ｃ１〜Ｃ５、および直線Ｃ６の延びる方向に沿う方向に関して１ｍｍごとに、当該曲線に沿う方向に関する曲率が求められる。この曲率は、ＣＡＤ（Computer Aided Design）データに基づき測定される。
【００３１】
各曲線Ｃ１〜Ｃ５上のナンバリングされた各点（測定位置）ごとに上記の要領で求められた曲率の値の分布を、図８に示している。なお図８は、以下の表１のデータをグラフ化したものであり、横軸は各曲線上の各測定位置を、縦軸は測定された曲率の値を、それぞれ示している。なお各測定位置の番号は、各曲線上において互いに隣り合う点同士が互いに隣り合う番号となるように（つまり曲線上に沿う方向に関して番号順となるように）ナンバリングされている。
【００３２】
【表１】
0006706970.tif 000002
【００３３】
表１および図８を参照して、ゴルフクラブヘッド１を任意のトップソール方向に切断して得られる切断面上で凹曲面６が示す曲線Ｃ１〜Ｃ５は、いずれも各線上の各測定位置における、当該各線の延びる方向に関する曲率の値がほぼすべて０．０１以上（０．０１７以上）となっているため、凹曲面６は上記の定義に従う曲面であるといえる。また各曲線Ｃ１〜Ｃ５上の各測定位置での、各曲線の延びる方向に関する曲率の平均値（表１中「平均」で示す）はいずれも０．０１以上（０．０４以上）となっているため、この観点からも、凹曲面６は上記の定義に従う曲面であるといえる。
【００３４】
また特に表１を参照して、曲線Ｃ１〜Ｃ５は、いずれも各曲線の延びる方向に関する曲率の標準偏差（表１中「標準偏差」で示す）が０．０１８以上となっている。このため当該凹曲面６の曲率が切断面曲線上においてまったく異なっている（大きくばらついている）といえる。また、表１中の「平均」より得られる曲線Ｃ１〜Ｃ５の曲率の平均は、いずれも異なる値となる。このことからも、凹曲面６を曲線Ｃ１〜Ｃ５で切断した場合の切断面上で凹曲面６が示す線形状は、いずれも異なっているといえる。
【００３５】
一方、表１に示すように、バックフラット４ａ上の直線Ｃ６上の各測定位置における、直線Ｃ６の延びる方向に関する曲率の値は、曲線Ｃ１〜Ｃ５の同曲率の値に比べて非常に小さく、０．００１未満となっている箇所も存在する。また当該曲率の平均値および標準偏差もそれぞれ０．００１１２、０．０００８０と、曲線Ｃ１〜Ｃ５に比べて非常に小さくなっている。
【００３６】
また図８のグラフの縦軸の値が同一曲線上であっても測定位置に応じて曲率の値が大きく異なっている（大きく異なるようにばらついている）。このことから、当該凹曲面６は、その表面上の各曲線Ｃ１〜Ｃ５上（同一曲線内）の異なる測定位置間において曲率がまったく異なっている（大きくばらついている）といえる。
【００３７】
さらに、たとえば図８の曲線Ｃ１〜Ｃ５のそれぞれのグラフ（曲線）の形状がまったく異なっている。このことから、異なる曲線Ｃ１〜Ｃ５同士を比較した場合においても、それぞれの曲線上での曲率がまったく異なることがわかる。このことからも、当該凹曲面６は、曲率が切断面曲線上においてまったく異なっている（大きくばらついている）といえる。
【００３８】
次に、以下の表２および図９は、表１および図８が示す各曲線Ｃ１〜Ｃ５上の各測定位置における曲率の値のうち、互いに隣り合う測定位置間の曲率の絶対値の差を表示したものである。すなわち図９は以下の表２のデータをグラフ化したものであり、横軸は各曲線上の隣り合う１対の測定位置間の領域をナンバリングしたものであり、縦軸は当該１対の測定位置のそれぞれの表１および図８に示す曲率の差の絶対値を示している。
【００３９】
【表２】
0006706970.tif 000003
【００４０】
表２および図９を参照して、測定位置間の領域の番号ｎは、表１および図８の測定位置ｎとそれに隣り合う測定位置（ｎ＋１）との曲率の差を表していることを示している。すなわちたとえば測定位置間の領域１は、測定位置１と測定位置２との曲率の差を示しており、測定位置間の領域２は、測定位置２と測定位置３との曲率の差を示している。
【００４１】
表２および図９に示すように、隣り合う測定位置間の曲率の差を調べても、各曲線上の異なる測定位置間の領域の間での曲率の差のばらつきが大きくなっており、かつ各曲線間でグラフの形状が大きく異なっている。これらにより、当該凹曲面６は切断面曲線上において曲率がまったく異なっている（大きくばらついている）といえる。
【００４２】
次に、図１０を参照して、凹曲面６内において第２の方向に延びる各曲線について考える。上記の図４と同様に、凹曲面６の表面をトゥヒール方向に沿う方向に延びる、互いに間隔をあけて配列された曲線ＴＨ２，ＴＨ３，ＴＨ４を定義する。曲線ＴＨ２は最も他方のバックフラット４ｂ側に、曲線ＴＨ４は最も一方のバックフラット４ａ側に配置されている。
【００４３】
図１０に示すように、ソール部５に接する仮想の直線Ｌ１を考えたときに、バック面３から見た曲線ＴＨ２，ＴＨ３，ＴＨ４は直線Ｌ１にほぼ平行となっている。たとえば図１０のようにバック面３側からソール部５を上側に見たときに、直線Ｌ１と曲線ＴＨ２との距離は２３ｍｍであり、直線Ｌ２と曲線ＴＨ３との距離は２８ｍｍであり、直線Ｌ３と曲線ＴＨ４との距離は３３ｍｍである。
【００４４】
なお平坦面については、いずれの方向について曲率を検討しても、表１の曲線Ｃ６とほぼ同様の結果になるものと思料されるため、ここでは比較データとして表１中のデータを代用可能である。
【００４５】
各曲線ＴＨ２〜ＴＨ４の長さが測定され、それぞれの曲線上において各曲線ＴＨ２〜ＴＨ４の延びる方向に沿う方向に関して１ｍｍごとに、当該曲線に沿う方向に関する曲率が求められる。この曲率は、ＣＡＤ（Computer Aided Design）データに基づき測定される。
【００４６】
各曲線ＴＨ２〜ＴＨ４上のナンバリングされた各点（測定位置）ごとに上記の要領で求められた曲率の値の分布を、図１１に示している。なお図１１は、以下の表３のデータをグラフ化したものであり、横軸は各曲線上の各測定位置を、縦軸は測定された曲率の値を、それぞれ示している。なお各測定位置の番号は、各曲線上において互いに隣り合う点同士が互いに隣り合う番号となるように（つまり曲線上に沿う方向に関して番号順となるように）ナンバリングされている。
【００４７】
【表３】
0006706970.tif 000004
【００４８】
表３および図１１を参照して、曲線ＴＨ２〜ＴＨ４は、いずれも各線上の各測定位置における、当該各線の延びる方向に関する曲率の値が部分的に０．０１未満となっている領域もあるが、０．０１以上となっている領域が多くなっている。また曲線ＴＨ４は各測定位置での各曲線の延びる方向に関する曲率の平均値は０．０１未満となっているものの、少なくとも曲線ＴＨ２，ＴＨ３は各測定位置での各曲線の延びる方向に関する曲率の平均値は０．０１以上となっている。
【００４９】
なお各曲線の延びる方向に関する曲率の標準偏差は、いずれも０．０１８未満となっているが、少なくともバックフラットにおける曲率の標準偏差（表１参照）よりは非常に大きくなっている。また図１１より、同一曲線内における曲率が異なっていることがわかる。また上記のように、少なくともいずれか一方向に関する曲率（または曲率の平均値）が０．０１以上であれば、当該表面は曲面であると定義することができる。このため、曲線ＴＨ２〜ＴＨ４の方向についても、当該凹曲面６は切断面曲線上において一定曲率部分がほとんどないといえる。
【００５０】
次に、以下の表４および図１２は、表３および図１１が示す各曲線ＴＨ２〜ＴＨ４上の各測定位置における曲率の値のうち、互いに隣り合う測定位置間の曲率の絶対値の差をプロットしたものである。すなわち図１２は以下の表４のデータをグラフ化したものであり、横軸は各曲線上の隣り合う１対の測定位置間の領域をナンバリングしたものであり、縦軸は当該１対の測定位置のそれぞれの表３および図１１に示す曲率の差の絶対値を示している。
【００５１】
【表４】
0006706970.tif 000005
【００５２】
表４および図１２を参照して、隣り合う測定位置間の曲率の差を調べても、曲線Ｃ１〜Ｃ５に沿う方向よりばらつきが小さくなっているものの、少なくともバックフラットと比べれば各曲線上の異なる測定位置間の領域の間での曲率の差のばらつきが大きくなっており、かつ各曲線間でグラフの形状が異なっている。これらにより、当該凹曲面６は切断面曲線上において曲率がばらついているといえる。
【００５３】
以上のように、凹曲面６は、トップソール方向において、凹曲面６上の切断面曲線上において一定曲率部分が存在しておらず、トゥヒール方向においても、スコアラインセンターを少なくとも含む一部の切断面曲線上において曲率はばらついている。つまり、凹曲面６はトップソール方向、およびトゥヒール方向のいずれにおいても不均一な曲線から構成されているといえ、凹曲面６は、ゴルフクラブヘッド１を任意の方向に切断して得られる切断面上で凹曲面６が示す線形状は、いずれの方向に切断したとしても同一曲線にならず、かつ相似の曲線にもならない。
【００５４】
次に、本実施の形態の作用効果を説明する。
まず本実施の形態においては、バック面３に形成された凹曲面６が鏡面加工されていることにより、凹曲面６の表面には様々な方向からの光を反射させることができる。
【００５５】
それに加えて、特に上記の図８および図１１、ならびに表１および表３が示すように、図７に示す曲線Ｃ１〜Ｃ５上、および図１０に示す曲線ＴＨ２〜ＴＨ４上のいずれにも、隣り合う測定位置間で曲率が等しい領域はほぼ存在していない。つまりバック面３に形成された凹曲面６は、切断面曲線上において曲率がほぼすべて異なっている。当該凹曲面６は表面の曲率のばらつきが非常に大きい。このことは、当該凹曲面６の表面の曲率の標準偏差が、（表１に示すように）特にＣ１〜Ｃ５に沿う方向において０．０１８以上と非常に大きくなっていることに現れている。
【００５６】
つまり凹曲面６は、トゥヒール方向およびトップソール方向のそれぞれにおいて一定の深度変化の規則性を有しながらも、不均一な曲率で表面形状が変化していく曲面形状であるので、当該表面上には様々な方向からの光が取り込まれる。このため当該光は様々な方向に不均一に反射されることにより、きれいに深みがあるように見える。
【００５７】
また図３に示すように凹曲面６は、フェース部２（打球面）側に向けて凸状の曲面ＣＶＸとなっている。このことからも凹曲面６は、光の映り込み状態をより美しくすることができる。
【００５８】
さらに凹曲面６は、トゥヒール方向に関するヒール部１ｈからトゥ部１ｔに向けて、フェース部２との距離としての厚みが厚くなっている。これにより、当該ゴルフクラブヘッド１の重心まわりのトゥヒール方向の慣性モーメントの値をより大きくすることができる。したがって、たとえば使用者が打球を打ったときに打点のぶれが発生したとしても、当該ゴルフクラブヘッド１は、当該打球方向のぶれを抑制することができる。これにより、初中級のゴルファーに対して、使用が難しいとされているマッスルバックタイプの外観を有しながらも、打点のばらつきに対応することのできるアイアンゴルフクラブヘッドを提供することができる。
【００５９】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【産業上の利用可能性】
【００６０】
本発明は、バック面全面に鏡面加工をすることができるアイアンゴルフクラブヘッドおよびアイアンゴルフクラブに特に有利に適用される。
【符号の説明】
【００６１】
１  ゴルフクラブヘッド、１ｈ  ヒール部、１ｔ  トゥ部、２  フェース部、３  バック面、４  バックフラット、４ａ  一方のバックフラット、４ｂ  他方のバックフラット、５  ソール部、６ａ  一方の凹曲面境界線、６ｂ  他方の凹曲面境界線、２０  シャフト、Ｃ１，Ｃ２，Ｃ３，Ｃ４，Ｃ５，ＴＨ１，ＴＨ２，ＴＨ３，ＴＨ４  曲線、Ｐ０，Ｐ１，Ｐ３，Ｐ５  中心線。
【図１】
0006706970.tif 000006
【図２】
0006706970.tif 000007
【図３】
0006706970.tif 000008
【図４】
0006706970.tif 000009
【図５】
0006706970.tif 000010
【図６】
0006706970.tif 000011
【図７】
0006706970.tif 000012
【図８】
0006706970.tif 000013
【図９】
0006706970.tif 000014
【図１０】
0006706970.tif 000015
【図１１】
0006706970.tif 000016
【図１２】
0006706970.tif 000017